(57)【特許請求の範囲】
【請求項１】
第１の湾曲部を有する第１のコイル筐体、
第２の湾曲部を有する第２のコイル筐体、
前記第１のコイル筐体に設けられた第１のコイルエレメントであって、前記第１の湾曲部の領域に設けられた第１のエレメント片を有する第１のコイルエレメント、
前記第２のコイル筐体に設けられた第２のコイルエレメントであって、前記第２の湾曲部の領域に設けられた第２のエレメント片を有する第２のコイルエレメント、および
前記第１の湾曲部と前記第２の湾曲部とを互いに対向させた状態で、前記第１のコイル筐体と前記第２のコイル筐体とを互いに回動自在に取り付ける取付部材、
を有するコイルであって、
前記第１のコイルエレメントと前記第２のコイルエレメントとの重なり面積は、前記第１のコイルエレメントと前記第２のコイルエレメントとの相互インダクタンスをゼロにするときの重なり面積よりも大きいコイル。
【請求項２】
前記取付部材は、前記第１のコイル筐体と前記第２のコイル筐体とを互いに回動自在に取り付ける蝶番を有する、請求項１に記載のコイル。
【請求項３】
前記取付部材は、前記第１のコイル筐体と前記第２のコイル筐体とを互いに回動自在に取り付ける回動軸、
を有する、請求項１に記載のコイル。
【請求項４】
前記第１のコイル筐体を前記第２のコイル筐体に固定する固定手段を有する請求項１〜３のうちのいずれか一項に記載のコイル。
【請求項５】
前記固定手段は、ボルトである、請求項４に記載のコイル。
【請求項６】
前記第１のコイル筐体に設けられた第３のコイルエレメントを有する、請求項１〜５のうちのいずれか一項に記載のコイル。
【請求項７】
前記第２のコイル筐体に設けられた第４のコイルエレメントを有する、請求項１〜５のうちのいずれか一項に記載のコイル。
【請求項８】
前記第１のコイルエレメントおよび前記第２のコイルエレメントは、ループコイルである、請求項１〜７のうちのいずれか１項に記載のコイル。
【請求項９】
前記第３のコイルエレメントは８の字コイルエレメントである、請求項６に記載のコイル。
【請求項１０】
前記第４のコイルエレメントは８の字コイルエレメントである、請求項７に記載のコイル。
【請求項１１】
請求項１〜１０のうちのいずれか一項に記載のコイル、および
前記コイルを保持する保持器具、
を有するコイルシステム。
【発明の詳細な説明】
【技術分野】
【０００１】
本発明は、ＭＲ装置に使用されるコイルに関する。
【背景技術】
【０００２】
従来より、被検体を撮像するためにＭＲ装置が使用されている。ＭＲ装置は、被検体からのＭＲ信号を受信するコイルを有している。このようなコイルは、被検体からのＭＲ信号を効率よく受信できるように、被検体にできるだけ近接して配置することが好ましい。
【非特許文献１】http://www.asahi-net.or.jp/~tv4m-tkhs/07GEITEMMR/07GEITEMMR.html
【発明の開示】
【発明が解決しようとする課題】
【０００３】
被検体の体表面は、被検体の各部位によって様々な表面形状を有している。例えば、被検体の或る部位は丸まった表面形状を有しており、別の部位は湾曲した表面形状を有している。したがって、コイルを撮影対象の部位の全面に渡って近接させることができない場合がある。この場合、高品質のＭＲ画像を取得するのが困難になるという問題がある。
【０００４】
本発明は、上記の事情に鑑み、高品質のＭＲ画像を取得するのに適したコイルを提供することを目的とする。
【課題を解決するための手段】
【０００５】
上記の問題を解決する本発明のコイルは、
第１の湾曲部を有する第１のコイル筐体、
第２の湾曲部を有する第２のコイル筐体、
上記第１のコイル筐体に設けられた第１のコイルエレメント、
上記第２のコイル筐体に設けられた第２のコイルエレメント、および
上記第１の湾曲部と上記第２の湾曲部とが互いに対向しながら、上記第１のコイル筐体と上記第２のコイル筐体とを互いに回動自在に取り付ける取付部材、
を有するコイルであって、
上記第１のコイルエレメントは、上記第１の湾曲部の領域に設けられた第１のエレメント片を有し、
上記第２のコイルエレメントは、上記第２の湾曲部の領域に設けられた第２のエレメント片を有している。
【発明の効果】
【０００６】
本発明のコイルでは、第１のコイル筐体と第２のコイル筐体は、互いに回動自在に取り付けられている。したがって、被検体の第１の部位の表面（例えば、頚部の表面）と第２の部位の表面（例えば、胸部の表面）が斜めに交差している場合であっても、第１のコイル筐体と第２のコイル筐体とのなす角度を調節することによって、第１のコイル筐体および第２のコイル筐体を、それぞれ被検体の第１の部位および第２の部位に近接させることができる。これによって、第１のコイルエレメントおよび第２のコイルエレメントを、それぞれ被検体の第１の部位および第２の部位に同時に近接させることができ、高品質のＭＲ画像を取得することができる。
【０００７】
さらに、本発明のコイルでは、第１のコイルエレメントは、第１の湾曲部の領域に設けられた第１のエレメント片を有しており、第２のコイルエレメントは、第２の湾曲部の領域に設けられた第２のエレメント片を有している。したがって、第１のコイルエレメントおよび第２のコイルエレメントを、被検体の第１の部位と第２の部位との境界部にも近接させることができる。このため、第１の部位と第２の部位との境界部分についても、高品質のＭＲ画像を取得することができる。
【発明を実施するための最良の形態】
【０００８】
以下に、発明を実施するための最良の形態として、被検体の食道を撮像するのに適したコイルを取り上げて説明する。しかし、本発明は、この形態に限定されるものではない。
【０００９】
図１は、本発明の一形態のコイル１を示す斜視図である。
【００１０】
コイル１は、第１のコイル筐体１０と、第２のコイル筐体６０と、蝶番５０と、を有している。２つのコイル筐体１０および６０は、蝶番５０によって、蝶着されている。
【００１１】
図２は、図１に示す第１のコイル筐体１０と、第２のコイル筐体６０と、蝶番５０と、を分離して示した図である。
【００１２】
第１のコイル筐体１０は、下側コイル筐体部２０と、上側コイル筐体部３０と、を有している。
【００１３】
図３は、第１のコイル筐体１０の分解図である。
【００１４】
下側コイル筐体部２０は、４個のねじ孔２１Ａ〜２１Ｄを有している。上側コイル筐体部３０は、下側コイル筐体部２０の４個のねじ孔２１Ａ〜２１Ｄに対応する４個のねじ孔３１Ａ〜３１Ｄを有している。上側コイル筐体部３０は、ねじ４０Ａ〜４０Ｄによって、下側コイル筐体部２０に取り付けられる。
【００１５】
下側コイル筐体部２０は２つのコイルエレメント４１および４２を支持している。コイルエレメント４１とコイルエレメント４２との間には、絶縁層４３が介在している。これらのコイルエレメント４１および４２が下側コイル筐体部２０にどのように支持されているかについては、後述する。次に、これらのコイルエレメント４１および４２を支持する下側コイル筐体部２０の構造について具体的に説明する。
【００１６】
図４および図５は、下側コイル筐体部２０の斜視図である。図４および図５には、下側コイル筐体部２０を異なる方向から見たときの斜視図が示されている。
【００１７】
下側コイル筐体部２０は、底部２２を有している。底部２２は、ｘｙ面内に広がる２つの下側平坦部２２Ａおよび２２Ｅを有している。また、底部２２は、下側平坦部２２Ａおよび２２Ｅよりもｚ方向に高い位置に設けられた中央底面部２２Ｃを有している。中央底面部２２Ｃは、ｘｙ面内に広がる平坦部ＦＰ１と、上側平坦部ＦＰ１に対して湾曲する湾曲部ＣＰ１と、を有している。
【００１８】
図６は、図４において、下側コイル筐体部２０をＡ−Ａ方向から見た断面図である。
【００１９】
平坦部ＦＰ１は、ｘｙ面内に広がっている。しかし、湾曲部ＣＰ１は緩やかに湾曲する形状を有している。
【００２０】
図４および図５に戻って説明を続ける。
【００２１】
更に、底部２２は、２つの傾斜部２２Ｂおよび２２Ｄを有している。傾斜部２２Ｂは、下側平坦部２２Ａと平坦部ＦＰ１との間に形成されている。傾斜部２２Ｄは、下側平坦部２２Ｅと平坦部ＦＰ１との間に形成されている。
【００２２】
また、下側コイル筐体部２０は、５つの側部２３〜２７を有している。
【００２３】
５つの側部２３〜２７のうち、３つの側部２３〜２５は、ｙｚ面内に広がるように設けられている。側部２３は、下側平坦部２２Ａから下側平坦部２２Ｅにまで延在するように設けられている。側部２４は、下側平坦部２２Ａから傾斜部２２Ｂにまで延在するように設けられている。側部２５は、傾斜部２２Ｄから下側平坦部２２Ｅにまで延在するように設けられている。
【００２４】
残りの２つの側部２６および２７は、ｘｚ面内に広がるように設けられている。側部２６は、側部２３と側部２５とに繋がるように設けられている。側部２７は、側部２３と側部２４とに繋がるように設けられている。
【００２５】
更に、下側コイル筐体部２０は、ｘｚ面内に広がる２つのボルト受部２８および２９を有している。ボルト受部２８および２９は、湾曲部ＣＰ１の両側に形成されている。ボルト受部２８は、後述するボルト８５（図９参照）の先端面８５ａが押し付けられるボルト受面２８ａを有している。一方、ボルト受部２９は、後述するボルト８７（図９参照）の先端面８７ａが押し付けられるボルト受面２９ａを有している。
【００２６】
上記のように構成された下側コイル筐体部２０が、図３に示すように、２つのコイルエレメント４１および４２を支持している。
【００２７】
図７は、コイルエレメントを支持した状態の下側コイル筐体部２０の斜視図、図８は、図７の下側コイル筐体部２０からコイルエレメント４２および絶縁層４３を分離して示した図である。
【００２８】
コイルエレメント４１は８の字コイルエレメントである（図８参照）。８の字コイルエレメント４１は、傾斜部２２Ｂの領域から、平坦部ＦＰ１の領域を経由して、傾斜部２２Ｄの領域にまで広がるように設けられている。
【００２９】
コイルエレメント４２はループコイルエレメントである。ループコイルエレメント４２は、図７に示すように、中央底面部２２Ｃの領域に設けられている。ループコイルエレメント４２は、中央底面部２２Ｃの平坦部ＦＰ１の領域に設けられたエレメント片４２ａと、湾曲部ＣＰ１の領域に設けられたエレメント片４２ｂと、を有している。ループコイルエレメント４２と８の字コイルエレメント４１との間には、絶縁層４３が介在している。この絶縁層４３によって、エレメント４１および４２は、互いに絶縁されている。
【００３０】
下側コイル筐体部２０は、上記のように２つのコイルエレメント４１および４２を支持している。この下側コイル筐体部２０に上側コイル筐体部３０（図３参照）がねじ止めされることによって、第１のコイル筐体１０が完成する。
【００３１】
次に、第２のコイル筐体６０について説明する。
【００３２】
図９は、第２のコイル筐体６０の分解図である。
【００３３】
第２のコイル筐体６０は、下側コイル筐体部７０と、上側コイル筐体部８０と、を有している。
【００３４】
下側コイル筐体部７０は、５個のねじ孔７１Ａ〜７１Ｅを有している。上側コイル筐体部８０は、下側コイル筐体部７０の５個のねじ孔７１Ａ〜７１Ｅに対応する５個のねじ孔８１Ａ〜８１Ｅを有している。上側コイル筐体部８０は、ねじ９０Ａ〜９０Ｅによって、下側コイル筐体部７０に取り付けられる。
【００３５】
下側コイル筐体部７０は２つのコイルエレメント９１および９２を支持している。これらのコイルエレメント９１および９２が下側コイル筐体部７０にどのように支持されているかについては、後述する。次に、これらのコイルエレメント９１および９２を支持する下側コイル筐体部７０の構造について具体的に説明する。
【００３６】
図１０は、下側コイル筐体部７０の斜視図、図１１は、図１０において、下側コイル筐体部７０をＡ−Ａ方向から見た断面図である。
【００３７】
下側コイル筐体部７０は、平坦部ＦＰ２と、平坦部ＦＰ２に対して湾曲する湾曲部ＣＰ２と、を有している。
【００３８】
平坦部ＦＰ２は、二次元的に平坦に広がる形状を有している。しかし、湾曲部ＣＰ２は、図１１に示すように、緩やかに湾曲する形状を有している。
【００３９】
上記のように構成された下側コイル筐体部７０が、図９に示すように、２つのコイルエレメント９１および９２を支持している。
【００４０】
図１２は、図９に示す下側コイル筐体部７０からコイルエレメント９２および絶縁層９３を分離して示した図である。
【００４１】
コイルエレメント９１は８の字コイルエレメントである。８の字コイルエレメント９１は、平坦部ＦＰ２の領域から、湾曲部ＣＰ２の領域に渡って広がるように設けられている。
【００４２】
コイルエレメント９２はループコイルエレメントである。ループコイルエレメント９２も、図９に示すように、平坦部ＦＰ２の領域から、湾曲部ＣＰ２の領域に渡って広がるように設けられている。ループコイルエレメント９２と８の字コイルエレメント９１との間には、絶縁層９３が介在している。この絶縁層９３によって、エレメント９１および９２は、互いに絶縁されている。
【００４３】
次に、上側コイル筐体部８０について説明する。
【００４４】
上側コイル筐体部８０は、図９に示すように、５つの側部８２Ａ〜８２Ｅを有している。また、上側コイル筐体部８０は、側部８２Ａと８２Ｂとの間に、切欠き部８３を有している。
【００４５】
また、上側コイル筐体部８０は、側部８２Ｃを貫通するねじ孔８４と、側部８２Ｅを貫通するねじ孔８６と、を有している。更に、上側コイル筐体部８０は、ねじ孔８４に螺合するボルト８５と、ねじ孔８６に螺合するボルト８７と、を有している。ボルト８５および８７の役割については後述する。
【００４６】
更に、上側コイル筐体部８０は、後述するフレキシブルアーム固定具１５５および１５６（図１８参照）が取り付けられる２つの取付部８８および８９を有している。
【００４７】
上記のように構成された上側コイル筐体部８０が、コイルエレメント９１および９２を
支持する下側コイル筐体部７０にねじ止めされることにより、第２のコイル筐体６０が完成する。
【００４８】
上側コイル筐体部８０が、下側コイル筐体部７０にねじ止めされると、上側コイル筐体部８０の側部８２Ａ〜８２Ｅが、下側コイル筐体部７０の周縁部に密着する（図２参照）。しかし、上側コイル筐体部８０は切欠き部８３を有しているので、第２のコイル筐体６０の内部は、切欠き部８３を通じて外界に繋がっている。
【００４９】
切欠き部８３は、第１のコイル筐体１０のボルト受部２８，２９および湾曲部ＣＰ１を、第２のコイル筐体６０の内部に収容することができる大きさを有している（図２参照）。第１のコイル筐体１０のボルト受部２８，２９および湾曲部ＣＰ１は、第２のコイル筐体６０の切欠き部８３を介して、第２のコイル筐体６０の内部に挿入される。また、蝶番５０の平板５１は第１のコイル筐体１０に固定され、平板５２は第２のコイル筐体６０に固定される。このようにして、図１に示すコイル１が構成されている。
【００５０】
次に、このコイル１において、第１のコイル筐体１０の湾曲部ＣＰ１と第２のコイル筐体６０の湾曲部ＣＰ２との配置関係について、図１３および図１４を参照しながら説明する。
【００５１】
図１３は、図１においてコイル１をＡ−Ａ方向から見た断面図、図１４は、図１においてコイル１をＢ−Ｂ方向から見た断面図である。
【００５２】
図１４に示すように、第１のコイル筐体１０の湾曲部ＣＰ１は、第２のコイル筐体６０の切欠き部８３に挿入されている。この結果、第１のコイル筐体１０の湾曲部ＣＰ１は、第２のコイル筐体６０の湾曲部ＣＰ２に対向するように配される。更に、図１３に示すように、ループコイルエレメント４２のエレメント片４２ｂは、ループコイルエレメント９２で囲まれた領域の内側にまで入り込んでいる。
【００５３】
また、コイル１では、第１のコイル筐体１０および第２のコイル筐体６０が蝶番５０に固定されているので、第１のコイル筐体１０と第２のコイル筐体６０とのなす角度θを変更することができる。本形態では、角度θは１２５度〜１５５度の範囲で変更できるように構成されているが、角度θの範囲は、コイル１の用途などによって、設計変更可能である。図１４には、角度θ＝α（例えば、１５０度）およびθ＝α’（例えば１３０度）のときのコイル１が示されている。θ＝αのときの第２のコイル筐体６０は実線で示されており、一方、θ＝α’のときの第２のコイル筐体６０は破線で示されている。角度θがαであっても、α’であっても、ループコイルエレメント４２のエレメント片４２ｂは、ループコイルエレメント９２で囲まれた領域の内側に入り込んでいる。
【００５４】
尚、ループコイルエレメント４２のエレメント片４２ｂが、ループコイルエレメント９２で囲まれた領域の内側に入り込んでいるので、ループコイルエレメント４２は、ループコイルエレメント９２に重なる部分を有している。この重なる部分の面積（図１３の一点鎖線で囲まれた部分の面積。以下、「重なり面積」と呼ぶ）Ｓ１は、角度θの値に応じて変化する。しかし、この重なり面積Ｓ１は、コイル１の回動範囲（１２５度≦θ≦１５５度）の中では、コイルエレメント４２とコイルエレメント９２との間の相互インダクタンスがゼロになるときの重なり面積Ｓ０（図１３の二点鎖線で囲まれた部分の面積。）よりも大きい面積値を有している。この理由については、後述する。
【００５５】
また、コイル１は、第１および第２のコイル筐体１０および６０を回動させた後で、第２のコイル筐体６０を第１のコイル筐体１０に固定するための固定手段を有している。次に、この固定手段について説明する。
【００５６】
図１３に示すように、コイル１は２つのボルト８５および８７を有している。コイル１では、第１および第２のコイル筐体１０および６０を回動させた後、ボルト８５および８７が締められる。これによって、ボルト８５および８７はそれぞれボルト受部２８および２９に押し付けられ、第２のコイル筐体６０が第１のコイル筐体１０に対して固定される。第１のコイル筐体１０と第２のコイル筐体６０とのなす角度θ（図１４参照）を別の角度に設定したい場合は、ボルト８５および８７を緩めればよい。これによって、第１のコイル筐体１０および第２のコイル筐体６０を再び回動させることができるので、角度θを別の角度に設定することができる。尚、ボルトを使用する以外のやり方で第２のコイル筐体６０を第１のコイル筐体１０に固定してもよい。
【００５７】
次に、コイル１の使用方法の一例について説明する。
【００５８】
図１５〜図１７は、コイル１の使用方法の一例の説明図である。以下では、コイル１を使用して、被検体１００の食道を撮像する例について説明する。
【００５９】
コイル１は、保持器具１５０によって保持されている。この保持器具１５０は、以下のような構造を有している（図１８参照）。
【００６０】
図１８は、保持器具１５０の斜視図である。図１８には、保持器具１５０により保持されたコイル１も示されている。
【００６１】
保持器具１５０は、マット１５１と、被検体１００の頭部を受ける受部１５２と、マット１５１に固定された２本のフレキシブルアーム１５３および１５４と、を有している。コイル１は、フレキシブルアーム固定具１５５および１５６を介して、フレキシブルアーム１５３および１５４に取り付けられている。
【００６２】
フレキシブルアーム固定具１５５は、円筒部１５５ａと、取付部８８に嵌合する平板部１５５ｂと、を有している。フレキシブルアーム固定具１５６は、円筒部１５６ａと、取付部８９に嵌合する平板部１５６ｂと、を有している。
【００６３】
フレキシブルアーム固定具１５５の平板部５５ｂを取付部８８に嵌合させ、ねじ止めすることによって、フレキシブルアーム固定具１５５がコイル１に取り付けられる。フレキシブルアーム固定具１５６も同様にしてコイル１に取り付けられる。
【００６４】
このようにして、コイル１に、２つのフレキシブルアーム固定具１５５および１５６が取り付けられる。このフレキシブルアーム固定具１５５および１５６に、それぞれフレキシブルアーム１５３および１５４が取り付けられることによって、保持器具１５０はコイル１を保持する。
【００６５】
図１５〜図１７に戻って説明を続ける。
【００６６】
図１６に示すように、被検体１００の食道ＥＳは、頚部１６１から胸部１６２に渡って延在している。したがって、食道ＥＳの高品質なＭＲ画像を得るためには、コイルを、頚部１６１に近接させると同時に胸部１６２に近接させる必要がある。しかし、被検体１００の頚部１６１から胸部１６２までの体表面は平坦な形状ではなく、胸部１６２の表面１６２ａが、頚部１６１の表面１６１ａに対して斜めの角度δで広がっている。被検体１００のこのような表面形状に対応するため、コイル１は、第１のコイル筐体１０と第２のコイル筐体６０とのなす角度θを調節することができる（図１４参照）。コイル１を被検体１００に使用する場合は、コイル１の角度θを、胸部１６２の表面１６２ａと頚部１６１の表面１６１ａとのなす角度δに設定すればよい。コイル１の角度θを角度δに設定することによって、第１のコイル筐体１０を被検体１００の頚部１６１の表面１６１ａに近接させると同時に、第２のコイル筐体６０を被検体１００の胸部１６２の表面１６２ａに近接させることができる。この結果、コイル１の２つのループコイルエレメント４２および９２を頚部１６１から胸部１６２に渡って近接させることができ、食道ＥＳの高品質なＭＲ画像を取得することができる。
【００６７】
コイル１は、１２５度≦θ≦１５５度の範囲では、コイルエレメント４２とコイルエレメント９２との重なり面積Ｓ１が面積Ｓ０よりも大きくなるように構成されている（図１３参照）。このような重なり面積Ｓ１を実現させることによって、頚部１６１と胸部１６２との境界部分についてもコイル１の感度を向上させることができる。したがって、頚部食道Ｃｅと胸部上部食道Ｕｔとの境界部分も、高品質に撮像することができる。ただし、コイル１の回動範囲内の角度θに、重なり面積Ｓ１が面積Ｓ０に一致するときの角度が含まれるように、コイル１を設計することも可能である。
【００６８】
第１のコイル筐体１０は、ループコイルエレメント４２の下に、８の字コイルエレメント４１を有している（図１７参照）。ループコイルエレメント４２の他に８の字コイルエレメント４１を備えることによって、ＳＮＲをより向上させることができ、頚部食道Ｃｅを更に高品質に撮像することができる。
【００６９】
第２のコイル筐体６０は、ループコイルエレメント９２の下に、８の字コイルエレメント９１を有している（図１７参照）。ループコイルエレメント９２の他に８の字コイルエレメント９１を備えることによって、ＳＮＲをより向上させることができ、胸部上部食道Ｕｔをより高品質に撮像することができる。
【００７０】
コイル１は、２つのループコイルエレメント４２および９２の他に、２つの８の字コイルエレメント４１および９１を有している。しかし、高品質なＭＲ画像が取得できるのであれば、８の字コイルエレメント４１および／又は８の字コイルエレメント９１は備えなくてもよい。また、コイル１は、２つのループコイルエレメント４２および９２と、２つの８の字コイルエレメント４１および９１に加えて、更に他のコイルエレメントを備えてもよい。
【００７１】
また、コイル１では、第１のコイル筐体１０および第２のコイル筐体６０を互いに回動させることができるので、第１のコイル筐体１０と第２のコイル筐体６０とのなす角度θを、被検体の体格に合わせて設定することができる。したがって、被検体ごとに頚部１６１の表面１６１ａと胸部１６２の表面１６２ａとのなす角度δがばらついていても、コイル１の角度θを調節することにより、高品質なＭＲ画像を取得することができる。
【００７２】
尚、８の字コイルエレメント４１は絶縁層４３の下に形成され、ループコイルエレメント４２は絶縁層４３の上に形成されている。しかし、８の字コイルエレメント４１を絶縁層４３の上に形成し、ループコイルエレメント４２を絶縁層４３の下に形成してもよい。
【００７３】
また、８の字コイルエレメント９１は絶縁層９３の下に形成され、ループコイルエレメント９２は絶縁層９３の上に形成されている。しかし、８の字コイルエレメント９１を絶縁層９３の上に形成し、ループコイルエレメント９２を絶縁層９３の下に形成してもよい。
【００７４】
また、第１のコイル筐体１０では、底部２２は、中央底面部２２Ｃが下側平坦部２２Ａおよび２２Ｅよりも高い位置になるように段差がついた形状を有している。しかし、底部２２の形状は、第１のコイル筐体１０が被検体１００のどの部位に近接して配置されるのかに応じて、段差のない形状にすることも可能である。逆に、第２のコイル筐体６０を段差がついた形状にすることも可能である。
【００７５】
尚、上記の例では、コイル１は、被検体１００の頚部１６１と胸部１６２とに近接するように配されている。しかし、コイル１は、被検体１００の別の部位に近接させることもできる。以下に、コイル１を別の部位に近接させた例について説明する。
【００７６】
図１９は、コイル１を別の部位に近接させた例を示す図である。
【００７７】
コイル１は、被検体１００の大腿部６３と腹部６４とに近接するように配されている。このように、コイル１は、被検体１００の種々の部位に適用することができる。
【００７８】
尚、コイル１では、第１のコイル筐体１０および第２のコイル筐体６０は、蝶番５０によって互いに回動自在に取り付けられている。しかし、第１のコイル筐体１０および第２のコイル筐体６０を、他のやり方で回動自在に取り付けることもできる。例えば、第１のコイル筐体１０および第２のコイル筐体６０を、回動軸によって互いに回動自在に取り付けることができる。
【図面の簡単な説明】
【００７９】
【図１】本発明の一形態のコイル１を示す斜視図である。
【図２】図１に示す第１のコイル筐体１０と、第２のコイル筐体６０と、蝶番５０と、を分離して示した図である。
【図３】第１のコイル筐体１０の分解図である。
【図４】下側コイル筐体部２０の斜視図である。
【図５】下側コイル筐体部２０の斜視図である。
【図６】図４において、下側コイル筐体部２０をＡ−Ａ方向から見た断面図である。
【図７】コイルエレメントを支持した状態の下側コイル筐体部２０の斜視図である。
【図８】図７の下側コイル筐体部２０からコイルエレメント４２および絶縁層４３を分離して示した図である。
【図９】第２のコイル筐体６０の分解図である。
【図１０】下側コイル筐体部７０の斜視図である。
【図１１】図１０において、下側コイル筐体部７０をＡ−Ａ方向から見た断面図である。
【図１２】図９に示す下側コイル筐体部７０からコイルエレメント９２および絶縁層９３を分離して示した図である。
【図１３】図１においてコイル１をＡ−Ａ方向から見た断面図である。
【図１４】図１においてコイル１をＢ−Ｂ方向から見た断面図である。
【図１５】コイル１の使用方法の一例の説明図である。
【図１６】コイル１の使用方法の一例の説明図である。
【図１７】コイル１の使用方法の一例の説明図である。
【図１８】保持器具１５０の斜視図である。
【図１９】コイル１を別の部位に近接させた例を示す図である。
【符号の説明】
【００８０】
１  コイル
１０、６０  コイル筐体
２０、７０  下側コイル筐体部
２１Ａ、２１Ｂ、２１Ｃ、２１Ｄ、３１Ａ、３１Ｂ、３１Ｃ、３１Ｄ、７１Ａ、７１Ｂ、７１Ｃ、７１Ｄ、７１Ｅ、８１Ａ、８１Ｂ、８１Ｃ、８１Ｄ、８１Ｅ、８４、８６  ねじ孔
２２  底部
２３、２４、２５、２６、２７、８２Ａ、８２Ｂ、８２Ｃ、８２Ｄ、８２Ｅ  側部
２８、２９  ボルト受部
２８ａ、２９ａ  ボルト受面
３０、８０  上側コイル筐体部
４０Ａ、４０Ｂ、４０Ｃ、４０Ｄ、９０Ａ、９０Ｂ、９０Ｃ、９０Ｄ、９０Ｅ  ねじ
４１、４２、９１、９２  コイルエレメント
４２ａ、４２ｂ  エレメント片
４３，９３  絶縁層
５０  蝶番
５１、５２  平板
８３  切欠き部
８５、８７  ボルト
８５ａ、８７ａ  先端面
８８、８９  取付部
１５０  保持器具
１５１  マット
１５２  受部
１５３、１５４  フレキシブルアーム
１５５、１５６  フレキシブルアーム固定具
１５５ａ、１５６ａ  円筒部
１５５ｂ、１５６ｂ  平板部
【図１】
0005226263.tif 000002
【図２】
0005226263.tif 000003
【図３】
0005226263.tif 000004
【図４】
0005226263.tif 000005
【図５】
0005226263.tif 000006
【図６】
0005226263.tif 000007
【図７】
0005226263.tif 000008
【図８】
0005226263.tif 000009
【図９】
0005226263.tif 000010
【図１０】
0005226263.tif 000011
【図１１】
0005226263.tif 000012
【図１２】
0005226263.tif 000013
【図１３】
0005226263.tif 000014
【図１４】
0005226263.tif 000015
【図１５】
0005226263.tif 000016
【図１６】
0005226263.tif 000017
【図１７】
0005226263.tif 000018
【図１８】
0005226263.tif 000019
【図１９】
0005226263.tif 000020